(57)【要約】【課題】  冷たいオシボリのような比較的小さな物品を収容してこれを頻繁に取り出すような使い方に最適な保冷ボックス用物品収容枠を提供すること。【解決手段】  保冷ボックス２０の本体に収納する物品収容枠Ｆ１であって、オシボリａ等の比較的小さな物品を上方から出し入れ可能な複数の独立した収容室ｒが並設されるように仕切り部材により箱形に形成され、その収容室ｒの周囲に配置された仕切り部材に差込部３を夫々設け、それらの差込部３に扁平形態の保冷材１５（又は断熱材）を挿入及び取り出し可能に設けた。【選択図】  図４
2007050906.tif 000002
【特許請求の範囲】
【請求項１】
保冷ボックスの本体に収納する物品収容枠であって、
物品を上方から出し入れ可能な複数の独立した収容室が並設されるように仕切り部材により箱形に形成され、その収容室の周囲に配置された該仕切り部材に差込部を夫々設け、それらの差込部に扁平形態の保冷材又は断熱材を挿入及び取り出し可能に設けたことを特徴とする保冷ボックス用物品収容枠。
【請求項２】
前記各収容室の上部開口に、保冷材又は断熱材を用いた蓋を夫々着脱自在に設けたことを特徴とする請求項１に記載の保冷ボックス用物品収容枠。
【請求項３】
前記物品がオシボリであることを特徴とする請求項１又は２に記載の保冷ボックス用物品収容枠。
【発明の詳細な説明】
【技術分野】
【０００１】
本発明は、戸外で使用される保冷ボックス用物品収容枠に関するものである。
【背景技術】
【０００２】
冷やした物、冷蔵された物品を戸外に持ち出す際には、クーラーボックスや発泡スチロール製の保冷箱に氷、保冷材、ドライアイスを入れて携行されるのが一般的である。例えば、暑い季節に沢山の冷たいオシボリをクーラーボックスや保冷箱に入れて戸外で利用しようとする場合、オシボリを取り出すために蓋を開け閉めする回数が多ければ多いほど内部の冷気が逃げてしまい、保冷状態を長時間維持することは難しい。
【０００３】
実開平９−５３９号公報には、開閉蓋を有するボックス体の一側に設けた冷却スペースに、複数の飲料容器を冷却体を介在させて収納し、飲料容器の上部を突出させる穴を設けた中蓋をボックス体の開口上部に着脱自在としたクーラーボックスが開示されている。
【０００４】
特開２００２−２８２９号公報には、蓋を着脱可能とした発泡スチロール製箱本体の対向する一組の側壁の上部に、２個の蓄冷体を上下二段に配置することができる支持部が設けられた蓄冷体付き保冷箱が開示されている。
【０００５】
上記公報に記載のクーラーボックス又は保冷箱においても、冷たいオシボリのような比較的小さな物品を沢山収容してこれを頻繁に取り出すような使い方をすれば、蓋を開閉する度に内部の冷気が逃げ易く、保冷状態を長時間維持することは難しい。
かような事情を鑑みて、本件発明者は、保冷ボックスに入れた状態において冷たいオシボリ、冷たくした状態で顔部や体の一部の熱さまし等に使用される冷却ゲルシートのような物品を小分けして収容することにより長時間保冷可能な収容枠を発明するに至った。
【特許文献１】実開平９−５３９号公報
【特許文献２】特開２００２−２８２９号公報
【発明の開示】
【発明が解決しようとする課題】
【０００６】
本発明の目的は、冷たいオシボリのような比較的小さな物品を収容してこれを頻繁に取り出すような使い方に最適な保冷ボックス用物品収容枠を提供することにある。
【課題を解決するための手段】
【０００７】
前記目的を達成するために請求項１に記載した発明は、保冷ボックスの本体に収納する物品収容枠であって、物品を上方から出し入れ可能な複数の独立した収容室が並設されるように仕切り部材により箱形に形成され、その収容室の周囲に配置された該仕切り部材に差込部を夫々設け、それらの差込部に扁平形態の保冷材又は断熱材を挿入及び取り出し可能に設けたことを特徴とする。
【０００８】
同様の目的を達成するために請求項２に記載した発明は、請求項１に記載の保冷ボックス用物品収容枠において、前記各収容室の上部開口に、保冷材又は断熱材を用いた蓋を夫々着脱自在に設けたことを特徴とするものである。
【０００９】
同様の目的を達成するために請求項３に記載した発明は、請求項１又は２に記載の保冷ボックス用物品収容枠において、前記物品がオシボリであることを特徴とするものである。
【発明の効果】
【００１０】
（請求項１の発明）
この保冷ボックス用物品収容枠は、物品を上方から出し入れ可能な複数の独立した収容室を並設し当該収容室の周囲を保冷材又は断熱材にて囲むように設けているので、比較的小さな物品を頻繁に取り出すような使い方に最適であり、保冷状態を長時間維持することが可能である。
【００１１】
（請求項２の発明）
この保冷ボックス用物品収容枠は、各収容室の上部開口に保冷材又は断熱材を用いた蓋を夫々着脱自在に設けているので、内部の冷気が逃げにくく、保冷状態を良好に維持することが可能である。
【００１２】
（請求項３の発明）
この保冷ボックス用物品収容枠は、物品を上方から出し入れ可能な複数の独立した収容室を並設し当該収容室の周囲を保冷材又は断熱材にて囲むように設けているので、冷たいオシボリを頻繁に取り出しても保冷状態を良好に維持することが可能である。
【発明を実施するための最良の形態】
【００１３】
以下に、本発明の最良の形態例を図面に基づいて説明する。図１は第１実施形態の保冷ボックス用物品収容枠の斜視図、図２は同、平面図、図３は第１実施形態の保冷ボックス用物品収容枠に保冷材をセットした状態を示す説明図、図４は第１実施形態の保冷ボックス用物品収容枠を保冷箱に納めた状態を示す説明図、図５は第２実施形態の保冷ボックス用物品収容枠の斜視図、図６は同、平面図、図７は第３実施形態の保冷ボックス用物品収容枠の斜視図、図８は同、物品収容枠の一部の縦断側面図である。
【００１４】
（第１実施形態例）
この保冷ボックス用物品収容枠Ｆ１は、発泡スチロール製等の保冷箱又はクーラーボックスに収納して使用されるものであり、扁平形状の冷たくしたオシボリ、冷たくした状態で顔部や体の一部の熱さまし等に使用される冷却ゲルシート等の物品を長時間保冷するのに適する構造とされている。
【００１５】
図１において、物品収容枠Ｆ１は、物品を上方から出し入れ可能な複数の、この実施形態では４つの独立した収容室ｒが並設されるように、各収容室ｒの四隅に位置する四角形断面の支柱部材１に対して下方の縦部材４、下方の横部材５、上方の縦部材７、上方の横部材９を一体状に設けることにより箱形に形成されている。この物品収容枠Ｆ１は、プラスチックによる一体成形又は仕切り部材としての上記各部材をロウ付け等により連結して一体化することにより構成することができる。
【００１６】
上記支柱部材１と支柱部材１の対向する内面１ａには、平行な突条１ｂ，１ｂが所定幅寸法で並設されている。それら対向する内面１ａの間に形成される空間部分を差込部３として設けられている。それら差込部３は、図３に示すように、扁平形態の保冷材１５又は発泡スチロール製等の断熱材を上方から挿入及び取り出し可能に設けられている。また、上方の縦部材７は一対の板部材を並設しており、各板部材の厚さと幅寸法については、上記突条１ｂ，１ｂと同一寸法に設けられている。８は縦部材７の上端縁に設けられた切欠部である。同様に、上方の横部材９についても一対の板部材を並設し、各板部材の厚さと幅寸法については、上記突条１ｂ，１ｂと同一寸法に設けられている。１０は横部材９の上端縁に設けられた切欠部である。
【００１７】
以上により、第１実施形態の保冷ボックス用物品収容枠Ｆ１が構成される。
つぎに、この保冷ボックス用物品収容枠Ｆ１の使い方について述べる。
まず、この物品収容枠Ｆ１を発泡スチロール製保冷箱２０に収納し、各差込部３に保冷材１５を夫々挿入した後に、冷たくしたオシボリａを各収容室ｒに納めて蓋２１を被せる。そして、オシボリａが必要なときには、蓋２１を開けて何れかの収容室ｒに納められているものを取り出して使用する。
【００１８】
なお、保冷材１５については全ての差込部３に挿入すれば保冷効果が非常に良好となるが、収容室ｒで挟まれる箇所の差込部３に保冷材１５に代わる断熱板を挿入するような使い方も可能である。
【００１９】
（第２実施形態例）
この保冷ボックス用物品収容枠Ｆ２は、ロール状に巻かれた形態の冷たいオシボリを長時間保冷するのに適する構造であり、前記第１実施形態の保冷ボックス用物品収容枠Ｆ１に準じた構成とされている。
【００２０】
図５において、物品収容枠Ｆ２は、オシボリａを上方から出し入れ可能な４つの独立した収容室ｒが並設されるように、２つの収容室ｒを一組とする領域の四隅に位置する四角形断面の支柱部材３１に対して下方の縦部材３４、下方の横部材３５、上方の縦部材３７、上方の横部材３９を一体状に設けることにより箱形に形成されている。
【００２１】
上記支柱部材３１と支柱部材３１の対向する内面３１ａには、平行な突条３１ｂ，３１ｂが所定幅寸法で並設されている。それら対向する内面３１ａの間に形成される空間部分を差込部３３として設ける。支柱部材３１間の上方の横部材３９と下方の横部材３５の内側には、一対の扁平なコ字形の案内部材３２を差し渡して差込部３３が設けられている。
【００２２】
上方の縦部材３７は一対の板部材を並設しており、各板部材の厚さと幅寸法については、上記突条３１ｂ，３１ｂと同一寸法に設けられている。３８は縦部材３７の上端縁に設けられた切欠部である。同様に、上方の横部材３９についても一対の板部材を並設し、各板部材の厚さと幅寸法については、上記突条３１ｂ，３１ｂと同一寸法に設けられている。４０は横部材３９の上端縁に設けられた切欠部である。
【００２３】
以上により、第２実施形態の保冷ボックス用物品収容枠Ｆ２が構成される。この収容枠Ｆ２の使い方については、前述した保冷ボックス用物品収容枠Ｆ１の場合と同じであるので、説明を省略する。
【００２４】
（第３実施形態例）
この保冷ボックス用物品収容枠Ｆ３は、各収容室ｒの上部開口に保冷材又は断熱材を用いた蓋１６を夫々着脱自在に設けること以外の構成について前記第１実施形態の保冷ボックス用物品収容枠Ｆ１と同様の構造とされている（請求項２に対応）。よって、それと同一構成部分については、同物品収容枠Ｆ１の説明に用いた符号を流用して図面に記載する。
【００２５】
図８に示すように、物品収容枠Ｆ３の上方の縦部材７は一対の板部材７ａ，７ｂからなるが、内側に位置する板部材７ｂの上端の高さを蓋１６の厚さ寸法だけ低く設ける。同様に、上方の横部材９についても一対の板部材（図示せず）の中、内側に位置する板部材の上端の高さを蓋１６の厚さ寸法だけ低く設ける。これにより、各収容室ｒの上部開口に保冷材又は断熱材を用いた蓋１６を夫々着脱自在に設けた保冷ボックス用物品収容枠Ｆ３が構成される。
【００２６】
この第３実施形態の保冷ボックス用物品収容枠Ｆ３は、収容室ｒ毎に蓋１６を設けているため、オシボリを頻繁に取り出しても内部の冷気が逃げにくく、オシボリの保冷状態を良好に維持することが可能である。
【００２７】
以上に述べた通り、この保冷ボックス用物品収容枠は、物品を上方から出し入れ可能な複数の独立した収容室を並設し当該収容室の周囲を保冷材にて囲むように設けているので、特に冷たいオシボリを頻繁に取り出すような使い方に最適であり、保冷状態を長時間維持することができる利点がある。
【図面の簡単な説明】
【００２８】
【図１】第１実施形態の保冷ボックス用物品収容枠の斜視図
【図２】同、平面図
【図３】第１実施形態の保冷ボックス用物品収容枠に保冷材をセットした状態を示す説明図
【図４】第１実施形態の保冷ボックス用物品収容枠を保冷箱に納めた状態を示す説明図
【図５】第２実施形態の保冷ボックス用物品収容枠の斜視図
【図６】同、平面図
【図７】第３実施形態の保冷ボックス用物品収容枠の斜視図
【図８】同、物品収容枠の一部の縦断側面図
【符号の説明】
【００２９】
Ｆ１〜Ｆ３・・・保冷ボックス用物品収容枠
ｒ・・・収容室
１・・・支柱部材（仕切り部材）
３・・・差込部
４・・・下方の縦部材（仕切り部材）
５・・・下方の横部材（仕切り部材）
７・・・上方の縦部材（仕切り部材）
９・・・上方の横部材（仕切り部材）
１５・・・保冷材
１６・・・蓋
ａ・・・オシボリ
２０・・・保冷箱（保冷ボックス）
【図１】
2007050906.tif 000003
【図２】
2007050906.tif 000004
【図３】
2007050906.tif 000005
【図４】
2007050906.tif 000006
【図５】
2007050906.tif 000007
【図６】
2007050906.tif 000008
【図７】
2007050906.tif 000009
【図８】
2007050906.tif 000010